(57)【要約】【課題】　相対的に大きい量の群遅延時間を補償することができ、耐久性に優れ、小型化できる偏光モード分散補償装置を提供する。【解決手段】　入射光信号をその偏光方向が相互直交する第１及び第２偏光状態の光信号に分離する分波器２０と、第１及び第２偏光状態の光信号を一方向に合波する合波器３０と、第１導波路３５及び第１導波路３５より長い第２導波路４０を備えるフォトニッククリスタル構造の光ガイド１０と、第２導波路４０の内部を構成する媒質と、合波器３０から出力される光信号の一部はフィードバックさせる信号タップ５０と、信号タップ５０からの光信号の第１及び第２偏光モードの分散程度を測定し、偏光モード分散を除去するためのフィードバック信号を出力するフィードバック部６０と、フィードバック信号に基づき第２導波路を通過する光信号の有効光距離を可変する有効光距離可変部７０とを含む偏光モード分散補償装置を提供する。【選択図】　　　図１
2004078213.tif 000002
【特許請求の範囲】
【請求項１】
　光ファイバを介して光信号を転送するシステムの偏光モード分散補償装置において、
　入射される前記光信号をその偏光方向が相互直交する第１偏光状態及び第２偏光状態の光信号に分離して相異なる方向に出力する分波器と、
　相異なる方向から入射される前記第１偏光状態の光信号及び第２偏光状態の光信号を一方向に合波して出力する合波器と、
　前記分波器から出力される前記光信号を前記合波器までの最短距離である第１経路に誘導する第１導波路、及び前記分波器から出力される前記光信号を前記合波器まで前記第１導波路より所定距離長い第２経路に誘導する第２導波路を備えるフォトニッククリスタル構造の光ガイドと、
　前記第２導波路の内部を構成する媒質と、
　前記合波器から出力される前記光信号の一部は外部に出力し、前記光信号の一部を出力できる構造を有する信号タップと、
　前記信号タップから出力される前記光信号の一部が入力され、前記光信号の前記第１偏光モード及び第２偏光モードモードの分散程度を測定し、前記測定結果に基づき前記偏光モード分散を取り除くためのフィードバック信号を出力するフィードバック部と、
　前記フィードバック部から出力されるフィードバック信号に基づき前記第２導波路を通過する光信号に対する前記第２経路の有効光距離を可変する有効光距離可変部と、
を含むフォトニッククリスタル構造を用いた偏光モード分散補償装置。
【請求項２】
　前記分波器及び前記合波器は、
　前記第１偏光状態の光信号及び第２偏光状態の光信号のうちいずれか一つの偏光状態の光信号に対するフォトニックバンドギャップを有するフォトニッククリスタル構造の媒質である請求項１に記載のフォトニッククリスタル構造を用いる偏光モード分散補償装置。
【請求項３】
　前記合波器を形成する媒質及び前記分波器を形成する媒質は、相互同一なものである請求項１に記載のフォトニッククリスタル構造を用いる偏光モード分散補償装置。
【請求項４】
　前記光ガイドは、
　前記第１偏光状態の光信号及び第２偏光状態の光信号に対するフォトニックバンドギャップを有するフォトニッククリスタル構造の媒質である請求項１に記載のフォトニッククリスタル構造を用いる偏光モード分散補償装置。
【請求項５】
　前記分波器、前記合波器、及び前記光ガイドは、一体型に結合されている請求項１に記載のフォトニッククリスタル構造を用いる偏光モード分散補償装置。
【請求項６】
　前記第２経路において前記分波器から前記合波器に出力された前記光信号をガイドする第２導波路の形態は、カーブ状及びジグザグ形態のうちいずれか一つの形態である請求項１に記載のフォトニッククリスタル構造を用いる偏光モード分散補償装置。
【請求項７】
　前記有効光距離可変部は、
　前記フィードバック部から入力される前記フィードバック信号に基づき前記第２導波路の内部を構成する媒質の屈折率を可変して、前記第２導波路を通過する光信号の前記有効光距離を可変する請求項１に記載のフォトニッククリスタル構造を用いる偏光モード分散補償装置。
【請求項８】
　前記有効光距離可変部は、
　前記フィードバック部から入力される前記フィードバック信号に基づき前記第２導波路の内部媒質に電場の強度を可変的に印加するための電場制御信号を出力する調節部と、
　前記調節部から入力される電場制御信号に応じて前記第２導波路の内部媒質に電場を可変的に形成する電極板と、を含む請求項７に記載のフォトニッククリスタル構造を用いる偏光モード分散補償装置。
【請求項９】
　前記電極板は、前記第２導波路の上部及び下部から所定距離を維持して備えられる請求項８に記載のフォトニッククリスタル構造を用いる偏光モード分散補償装置。
【請求項１０】
　前記第２導波路内の媒質は、電界強度によって屈折率を可変できる媒質である請求項８に記載のフォトニッククリスタル構造を用いる偏光モード分散補償装置。
【請求項１１】
　前記第２導波路内の媒質は、ＬｉＮｂＯ３である請求項１０に記載のフォトニッククリスタル構造を用いる偏光モード分散補償装置。
【請求項１２】
　前記有効光距離可変部は、
　前記フィードバック部から出力される前記フィードバック信号に基づき前記第２導波路内の媒質の温度を調節する温度制御信号を出力する調節部と、
　前記調節部から出力された前記温度制御信号に応じて前記第２導波路内の媒質の温度を可変する複数の熱電素子と、を備える請求項７に記載のフォトニッククリスタル構造を用いる偏光モード分散補償装置。 
【請求項１３】
　前記複数の熱電素子は、前記第２導波路を中心に所定距離離隔され、前記第２導波路の外部を包んでいる円筒形のチューブ状に配される請求項１２に記載のフォトニッククリスタル構造を用いる偏光モード分散補償装置。
【請求項１４】
　前記複数の熱電素子は、前記第２導波路の上下側に所定距離離隔された上部に平板状に配される請求項１２に記載のフォトニッククリスタル構造を用いる偏光モード分散補償装置
【請求項１５】
　前記第２導波路内の媒質は、温度によって屈折率を可変できる媒質である請求項１２に記載のフォトニッククリスタル構造を用いる偏光モード分散補償装置。
【請求項１６】
　前記有効光距離可変部は、
　前記フィードバック部から出力される前記フィードバック信号に基づき前記第２導波路内の媒質に印加される前記光信号の光強度を可変的に制御するための光強度制御信号を出力する調節部と、
　前記第２導波路から所定距離されて離隔配置されており、前記調節部から出力された前記光強度制御信号に応じて前記第２導波路内の媒質に可変的な光強度の光信号を印加する光源と、を備える請求項７に記載のフォトニッククリスタル構造を用いる偏光モード分散補償装置。
【請求項１７】
　前記有効光距離可変部は、
　前記第２導波路内の媒質の屈折率と相異なる屈折率を有する微小サイズの複数のセグメントと、
　前記フィードバック部から出力された前記フィードバック信号に基づき可変的な数の前記セグメントを前記第２導波路の内部に挿入及び除去できる駆動部と、を備える請求項７に記載のフォトニッククリスタル構造を用いる偏光モード分散補償装置。
【発明の詳細な説明】
【技術分野】
【０００１】
　本発明は光学転送システム(optical transmission system)において偏光モード分散の補償装置に係り、さらに詳しくはフォトニッククリスタル(photonic crystal)構造を用いた偏光モード分散の補償装置に関する。 
【背景技術】
【０００２】
　複屈折によって発する偏光モード分散(PMD ; Polarization Mode Dispersion)は光ファイバに沿って転送される光信号の一定した偏光状態を変化させ、光信号が光ファイバを通過して進む間、光信号の二つの偏光状態間に群遅延(differential time delay)を発生させる。
　このような群遅延係数は、最近に量産される低-ＰＭＤ光ファイバの場合は０．１ｐｓ/(ｋｍ)程であり、従前の方式で生産される単一モード光ファイバの場合は数ｐｓ/(ｋｍ)に至る。そして、単一モード光ファイバを使用する１００ｋｍ地上転送システムのような長距離ファイバ光学における連結の場合、群遅延時間は２０ｐｓ以上になり、最近の低-ＰＭＤ光ファイバを使用する大洋横断連結の場合も１０ｐｓ以上になる。
【０００３】
　このような群遅延現象は、１０Ｇｂｐｓ以上の光通信システムにおける信号転送に問題を引き起こす。しかし、特定な転送ファイバ内で起こる群遅延は時間について一定でなく、温度、圧力などのような物理的環境によって頻繁に変るという事実は広く知られている。
　このような光ファイバ内の偏光モード分散を補償する方法が、非特許文献１及び非特許文献２に開示されている。 
【０００４】
　しかし、前述した偏光モード分散補償方法及び他の従来の偏光モード分散補償方法は、相対的に小さい量の群遅延時間だけを補償することができるものである。しかし、最近、高価な高速電子光学が求められるだけではなく小型化が求められており、前述の方法ではこの要求に対応し難い。そして、前述した問題点を解消するためには動いている部位(moving part)を必要とするため、耐久性に劣化するという問題点がある。
【非特許文献１】“偏光分散の実験的均等化(Experimental Equalization of Polarization Dispersion)”(M．A．SantoroとJ．H．Winters著、IEEE Photonic Technology Letters、Vol．２、No．８、p．５９１、１９９０年発表。)
【非特許文献２】“位相変化検出による偏光モード分散補償(Polarization Mode Dispersion Compensation by Phase DiversityDetection)”(B．W．Hakki著、Photonic Technology Letters、Vol．９、No．１、p．１２１、１９９７年発表。)
【発明の開示】
【発明が解決しようとする課題】
【０００５】
　本発明は前述した問題点を解決するために案出されたもので、その目的はフォトニッククリスタル構造を用いた偏光モード分散補償装置を提供するところにある。
【課題を解決するための手段】
【０００６】
　前述した目的を達成するため、本発明に係るフォトニッククリスタル構造を用いた偏光モード分散補償装置は、光ファイバを介して光信号を転送するシステムの偏光モード分散補償装置において、入射される前記光信号をその偏光方向が相互直交する第１偏光状態及び第２偏光状態の光信号に分離して相異なる方向に出力する分波器と、相異なる方向から入射される前記第１偏光状態の光信号及び第２偏光状態の光信号を一方向に合波して出力する合波器と、前記分波器から出力される前記光信号を前記合波器まで最短経路である第１経路に誘導する第１導波路、及び前記分波器から出力される前記光信号を前記合波器まで前記第１導波経路より所定距離長い経路である第２経路に誘導する第２導波路を備えるフォトニッククリスタル構造の光ガイドと、前記第２導波路の内部を構成する媒質と、前記合波器から出力される前記光信号の一部は外部に出力し、前記光信号の一部はフィードバック部に出力できる構造を有する信号タップと、該信号タップから入力される光信号の前記第１偏光モード及び第２偏光モードモードの分散程度を測定し、前記測定結果に基づき前記偏光モード分散を除去するためのフィードバック信号を出力するフィードバック部、及び該フィードバック部から出力されるフィードバック信号に基づき前記第２導波路を通過する光信号に対する前記第２経路の有効光距離を可変する有効光距離可変部を含む。
【０００７】
　望ましくは、前記分波器及び前記合波器は前記第１偏光状態の光信号及び第２偏光状態の光信号のうちいずれか一つの偏光状態の光信号に対するフォトニックバンドギャップを有するフォトニッククリスタル構造の媒質である。
　前記合波器を形成する媒質及び前記分波器を形成する媒質は相互同一である。
　そして、前記光ガイドは前記第１偏光状態の光信号及び第２偏光状態の光信号に対するフォトニックバンドギャップを有するフォトニッククリスタル構造の媒質である。
【０００８】
　前記分波器、前記合波器、及び前記光ガイドは一体型に結合されている。
　前記第２経路において前記分波器から前記合波器に出力された前記光信号をガイドする第２導波路の形態は、カーブ状及びジグザグ形態のうち少くともいずれか一つの形態のものが望ましい。
　望ましくは、前記有効光距離可変部は前記フィードバック部から入力される前記フィードバック信号に基づき前記第２導波路の内部を構成する媒質の屈折率を可変して、前記第２導波路を通過する光信号の前記有効光距離を可変する。
【０００９】
　望ましくは、本発明の第１実施例において、前記有効光距離可変部は前記フィードバック部から入力される前記フィードバック信号に基づき前記第２導波路の内部媒質に電場の強度を可変的に印加するための電場制御信号を出力する調節部と、前記第２導波路を中心に前記第２導波路の両側に所定距離離隔配置されており、前記調節部から入力される電場制御信号に応じて前記第２導波路の内部媒質に電場を可変的に形成する電極板を備える。
【００１０】
　望ましくは、本発明の第２実施例において、前記有効光距離可変部は前記フィードバック部から入力される前記フィードバック信号に基づき前記第２導波路の内部を構成する媒質の温度を調節するための温度制御信号を出力する調節部と、前記第２導波路と所定距離離隔され前記調節部から入力される温度制御信号に応じて発熱及び冷却され、前記第２導波路の内部媒質の温度を可変する複数の熱電素子を備える。
【００１１】
　望ましくは、本発明の第３実施例において、前記有効光距離可変部は前記フィードバック部から入力される前記フィードバック信号に基づき前記第２導波路の内部媒質に印加される光学信号の光強度を可変的に制御するための光強度制御信号を出力する調節部と、前記第２導波路から所定距離離隔配置されており、前記調節部から入力される光強度制御信号に応じて前記第２導波路の内部媒質に可変的な光強度の光学信号を印加する光源を備える。
【００１２】
　望ましくは、本発明の第４実施例において、前記有効光距離可変部は前記第２導波路の内部媒質の屈折率と相異なる屈折率を有する微小サイズの多数のセグメントと、該フィードバック部から入力される前記フィードバック信号に基づく可変的な数量の前記セグメントを前記第２導波路の内部に挿入及び除去する駆動部を備える。
【発明の効果】
【００１３】
　本発明に係るフォトニッククリスタル構造を用いた偏光モード分散補償装置は相対的に大きい量の群遅延時間を補償することができ、耐久性に優れ小型化できるという長所がある。
【発明を実施するための最良の形態】
【００１４】
　以下、添付した図面に基づき本発明を詳述する。
　フォトニッククリスタル(photonic crystal)構造を有する媒質では、相異なる屈折率を有する二つの媒質が任意の空間上で周期的に配されている場合、一定範囲内の周波数を有する光はその媒質内で伝播されないフォトニックバンドギャップ(photonic bandgap)が形成される。
【００１５】
　バンドギャップの形成原因と範囲は、マックスウェル方程式の解を求めることによって把握できる。フォトニッククリスタルは使用周波数帯域によって数百ｎｍから数百μｍサイズの結晶構造を有する。
　フォトニッククリスタルを用いれば特定偏光状態の光を透過させない完全バンドギャップ(complete band-gap)を形成することができ、また偏光状態を問わず光を透過させない絶対バンドギャップ(absolute band-gap)を形成することができる。このような特性によってフォトニッククリスタルは分岐フィルタ、光導波管、光遅延素子、レーザーなどのような光機能素子に使用される。
【００１６】
　図１は本発明に係るフォトニッククリスタルを用いた偏光モード分散補償装置の構成を概略的に示す図である。
　同図によれば、光ガイド１０はその結晶構造がフォトニッククリスタル構造の媒質で構成されており、入射される光信号の二つの偏光状態ＴＥ(Transverse electric)モード及びＴＭ(Transverse Magnetic)モードについて全てフォトニックバンドギャップ(Photonic Band Gap)を有しており、その内部に第１導波路３５及び第２導波路４０を備える。従って、光ガイド１０は光信号の入射角及び偏光状態と無関係に光信号を反射させる光ガイド特性を有する。
【００１７】
　第１導波路３５は分波器２０から合波器３０までの最短距離の導波経路である第１経路を提供する。
　第２導波路４０は第１導波路の導波経路より所定距離ほど増加した導波経路である第２経路を提供し、その内部に所定の屈折率を有する媒質(例えば、入射光に対するフォトニックバンドギャップを有しないフォトニッククリスタル構造の媒質、液晶、及びＬｉＮｂＯ３など)を備える。
【００１８】
　分波器２０は、フォトニッククリスタル構造の媒質で構成され光ガイド１０と一体型に結合されており、第１導波路３５と第２導波路４０の分岐点に位置する。そして、分波器２０を形成する媒質は入射光のうち特定状態の偏光光に対するフォトニックバンドギャップだけを有する構造を形成している。例えば、分波器２０により、分波器２０に入射される光信号がその偏光方向が相互直交する第１偏光状態及び第２偏光状態の光信号に分岐される場合、分波器２０は、それらのうちいずれか一つの偏光状態の光信号に対するフォトニックバンドギャップを有するフォトニッククリスタル構造の媒質から構成されている。従って、分波器２０に入射される光信号をその偏光方向が相互直交する第１偏光状態及び第２偏光状態の二つの光信号に分離して群速度が遅い第１偏光状態の光信号は第１導波路３５に反射し、群速度が早い第２偏光状態の光信号は第２導波路４０に通過させる。
【００１９】
　合波器３０は、フォトニッククリスタル構造の材質で構成され、光ガイド１０と一体型に結合されており、第１導波路３５と第２導波路４０の合岐点に位置する。そして、合波器３０を形成する媒質は分波器２０のそれと同一である。従って、第１導波路３５から入射される第１偏光状態の光信号は通過させ、第２導波路４０から入射される第２偏光状態の光信号は反射して、二つの偏光状態の光信号を一方向に合波して出力する。
【００２０】
　信号タップ５０は、合波器３０から出力される光信号を外部に出力し、その一部の光信号をフィードバック部６０に出力できる構造を有する。
　フィードバック部６０は信号タップ５０から入力される光信号の第１偏光モード及び第２偏光モードの分散程度を測定し、その測定結果に基づき偏光モード分散を除去するためのフィードバック信号を有効光距離可変部７０に出力する。
【００２１】
　有効光距離可変部７０は、フィードバック部６０から出力されるフィードバック信号に基づき第２導波路４０を通過する光信号の有効光距離を可変する。この際有効光距離可変部７０は第２導波路４０の内部媒質の屈折率を可変することによって有効光距離を可変する。
　第２導波路４０を通過する光信号の有効光距離を増加させれば、第２導波路４０を通過する第２偏光状態の光信号の群速度を遅らせて、合波器３０を通過した後は第１偏光状態の光信号の群速度と同様になり、偏光モード分散が除去される。
【００２２】
　第２導波路４０の内部媒質の屈折率を可変する方法は媒質の温度を可変する方法、媒質に可変的な電場を形成する方法、媒質に可変的光信号を印加する方法、及び機械的な方法など色々の公知の方法がある。
　図２ａ及び図２ｂを参照して媒質に電場を形成することによって媒質の屈折率を可変する本発明の第１実施例について説明する。
【００２３】
　図２ａは図１の有効光距離可変部の第１実施例の概略的な斜視図であり、図２ｂは図２ａの概略的な側面図である。
　同図に示した通り、有効光距離可変部７０Ａは調節部２７４、電極板２７２を備える。
　調節部２７４は、フィードバック部６０から入力されるフィードバック信号に基づき第２導波路４０の内部媒質に電場の強度を可変的に印加するための電場制御信号を出力する。
【００２４】
　電極板２７２は、第２導波路４０の上下側に所定距離に離隔配置されており、調節部２７４から入力される電場制御信号に応じて第２導波路４０の内部媒質に可変的な強度の電場を形成する。
　この場合、第２導波路４０の内部の媒質としては印加される電場の強度によってその屈折率が可変される液晶、及びＬｉＮｂＯ３などを用いる。
【００２５】
　屈折率を可変する本発明の他の実施例であって、図３ａ、図３ｂ、及び図３ｃを参照して媒質の温度を可変することによってその媒質の屈折率を可変する第２実施例について説明する。
　図３ａは図１の有効光距離可変部の第２実施例の概略的な平面図であり、図３ｂは図３ａの他の形態を示す概略的な斜視図、及び図３ｃは図３ｂの概略的な側面図である。
【００２６】
　図３ａに示した通り、有効光距離可変部７０Ｂは調節部３７４、及び複数の熱電素子３７２を備える。
　調節部３７４は、フィードバック部６０から入力されるフィードバック信号に基づき 第２導波路４０の内部媒質の温度を可変するための温度制御信号を出力する。
　熱電素子３７２は、図３ａに示した通り、第２導波路４０を中心に所定距離に離隔され外部で包んでいる円筒形のチューブ状に配されている。
【００２７】
　また有効光距離可変部７０Ｂ'のさらに他の実施例が図３ｂ及び図３ｃに示されている。示した通り、熱電素子３７２が、第２導波路４０の上下側に所定距離離隔された位置に平板状に配されている。
　熱電素子３７２は、調節部３７４から入力される温度制御信号に応じて発熱及び冷却され、第２導波路４０の内部媒質の温度を可変する。この場合、第２導波路４０内部の媒質としては温度によってその屈折率が可変する液晶などを用いる。
【００２８】
　屈折率を可変する本発明の他の実施例として、媒質に印加する光学信号の光強度を可変することによって媒質の屈折率を可変する第３実施例について図４を参照して説明する。
　本発明に係る第３実施例によれば、有効光距離可変部７０Ｃは調節部４７４、及び光源４７２を備える。
　調節部４７４は、フィードバック部６０から入力されるフィードバック信号に基づき第２導波路４０の内部媒質に印加する光信号の強度を可変するための光強度制御信号を出力する。
【００２９】
　光源４７２は、第２導波路４０を中心に所定距離離隔された位置から第２導波路４０の内部媒質に光を照射する構造に配されている。光源４７２は調節部４７４から入力される光強度制御信号に応じて可変的な光強度光信号を第２導波路４０の内部媒質に印加することによって媒質の屈折率を可変する。この場合、第２導波路４０の内部媒質としては、光量が可変することによって有効光距離を変化させ得る媒質、つまり、非線形物質が使われる。例えば、ＧａＡｓに光を照らすと屈折率が変化される。
【００３０】
　屈折率を可変する本発明の他の実施例として、内部媒質と相異なる屈折率を有するセグメントを挿入及び除去することによって媒質の屈折率を可変する第４実施例について図５を参照して説明する。
　有効光距離可変部７０Ｄは多数のセグメント５７２、及び駆動部５７４を備える。
　駆動部５７４は、前記フィードバック部６０から入力される前記フィードバック信号に基づく可変的な数のセグメント５７２を第２導波路４０の内部に挿入及び除去する。
【００３１】
　所定数のセグメント５７２は無限小のサイズを有し、第２導波路４０の内部媒質の屈折率と相異なる屈折率を有しており、駆動部５７４によって第２導波路４０の内部媒質に挿入され、内部媒質の屈折率を可変する。この場合、第２導波路４０内の媒質としては、第１、第２及び第３の実施例で提示された全ての媒質が使われる。第４の実施例で使われる媒質としては、屈折率が変化されない固定された物質も使われる。
【００３２】
　前述した実施例は第２導波路４０の光経路が割りと単純で緩やかなカーブを形成しているが、フォトニックバンドギャップの特性を用いてジグザグ形態のような一層自由で複雑な形態に設計できる。この場合も全ての偏光状態の入射光を反射して、特定状態の偏光光の有効光距離を大幅に増加させうる導波路の構造が可能であり、全体サイズをコンパクトに設計することができる。
【００３３】
　上述の偏光モード分散補償装置では、可動部がないため、つまり、機械的に動く部部がないため、摩耗などの機械的な性能が低下せず、耐久性に優れている。
　また、フォトニッククリスタル構造を用いた本願の偏光モード分散補償装置では、フォトニックバンドギャップ（photonic bandgap）によって光がガイドされるため、導波管の形態を自由自在に構成することができる。よって、相対的に大きい量の群遅延時間を補償することができる、つまり同じ大きさを考慮した場合に、補償される遅延時間を大きくすることができる。具体的には、通常の全反射を用いて光をガイドする導波管では、一定の角度以上に導波管を曲げれば光がガイドされずに外方向へ漏れてしまうが、本願の偏光モード分散補償装置では自由自在に形態を変化させて光をガイドすることができるので、同一の面積内に群遅延を発生させる導波管をより長く形成することができる。よって、相対的に大きい量の群遅延時間を補償できる。同様の理由により、小型化を図ることもできる。
【００３４】
　以上では本発明の望ましい実施例について説明したが、本発明は前述した実施例に限らず、請求の範囲で請求する本発明の要旨を逸脱せず当該発明の属する技術分野において通常の知識を持つ者ならば誰でも多様な変形実施が可能なことは勿論、そのような変形は請求の範囲の記載範囲内にある。
【産業上の利用可能性】
【００３５】
　相対的に大きい量の群遅延時間を補償することができ、耐久性に優れ、小型化が可能なフォトニッククリスタル構造を用いた偏光モード分散補償装置分野に用いられる。
【図面の簡単な説明】
【００３６】
【図１】本発明に係るフォトニッククリスタル構造を用いる偏光モード分散補償装置の構成を概略的に示す図。
【図２ａ】図１の有効光距離可変部の第１実施例の概略的な斜視図。
【図２ｂ】図２ａの概略的な側面図。
【図３ａ】図１の有効光距離可変部の第２実施例の概略的な平面図。
【図３ｂ】図３ａの他の形態を示す概略的な斜視図。
【図３ｃ】図３ｂの概略的な側面図である。
【図４】本発明の第３実施例に係る図１の有効光距離可変部の端面図である。
【図５】本発明の第４実施例に係る図１の有効光距離可変部の端面図である。
【符号の説明】
【００３７】
１０　　光ガイド                           
２０　　分波器
３０　　合波器                             
３５　　第１導波路
４０　　第２導波路                         
５０　　信号タップ
６０　　フィードバック部                   
７０　　有効光距離可変部
【図１】
2004078213.tif 000003
【図２ａ】
2004078213.tif 000004
【図２ｂ】
2004078213.tif 000005
【図３ａ】
2004078213.tif 000006
【図３ｂ】
2004078213.tif 000007
【図３ｃ】
2004078213.tif 000008
【図４】
2004078213.tif 000009
【図５】
2004078213.tif 000010